(57)【要約】【課題】画像表示プロジェクタ用ランプユニットにおいて、ケーブルの固定構造を簡素にし、コストアップすることなくランプ本体の位置ずれを防止できる。【解決手段】ランプユニット３は、ランプボックス３０内に立設された２本の支柱６５ａ、６５ｂから成るケーブル固定部６５と、ケーブル固定部６５の支柱６５ａ、６５ｂの上端に当接して装着される覆い板７４を備えている。ランプ本体１０に電力を供給するケーブル２０は、支柱６５ａ、６５ｂの間に嵌入され、支柱６５ａ、６５ｂの周囲に巻き付けられることで、ケーブル２０の先端のコネクタ２１が引張られてもその力がランプ本体１０に伝わらないように固定される。また、支柱６５ａ、６５ｂの上端に覆い板７４が当接して装着されることで、ケーブル２０の支柱６５ａ、６５ｂからの抜けが防止され、ケーブル２０の固定状態が維持される。【選択図】　　　図５
0003097940.tif 000002
【実用新案登録請求の範囲】
【請求項１】
ランプバルブとリフレクタとから成るランプ本体と、このランプ本体を保持するランプボックスと、先端にコネクタを有し前記ランプ本体に電力を供給するためのケーブルとを備え、画像表示プロジェクタ本体に装着され、前記コネクタが前記画像表示プロジェクタ本体側のコネクタに接続され、前記画像表示プロジェクタ本体からの電力供給を受ける画像表示プロジェクタ用ランプユニットにおいて、
前記ランプ本体は、両端が前記ランプボックスに係止されるコイルバネ及び前記ランプボックスに設けられた位置決め兼固定用の係合部でもって該ランプボックスに着脱自在に保持されており、
前記ランプボックスに僅かな間隔をおいて立設された２本の支柱を有し、前記ケーブルが該２本の支柱の間に嵌入されると共に該２本の支柱の周囲に巻き付けられることにより該ケーブルを前記ランプボックスに固定するためのケーブル固定部と、
前記ケーブルを前記ランプボックス外に引出すためのケーブル挿通孔を有し、前記ケーブル固定部の支柱上端に当接して前記ケーブルの抜け止めをすると共に前記ランプ本体の位置ずれを防止する前記ランプボックスに対して着脱自在なカバー部材と
を備えたことを特徴とする画像表示プロジェクタ用ランプユニット。
【請求項２】
ランプバルブとリフレクタとから成るランプ本体と、このランプ本体を保持するランプボックスと、先端にコネクタを有し前記ランプ本体に電力を供給するためのケーブルとを備え、画像表示プロジェクタ本体に装着され、前記コネクタが前記画像表示プロジェクタ本体側のコネクタに接続され、前記画像表示プロジェクタ本体からの電力供給を受ける画像表示プロジェクタ用ランプユニットにおいて、
前記ランプボックスに僅かな間隔をおいて形成された２本の支柱を有し、前記ケーブルが該２本の支柱の間に嵌入されると共に該２本の支柱の周囲に巻き付けられることにより該ケーブルを前記ランプボックスに固定するためのケーブル固定部を備えたことを特徴とする画像表示プロジェクタ用ランプユニット。
【請求項３】
前記ランプボックスに対して着脱自在であり、前記支柱の先端に当接して前記ケーブルの抜け止めをするカバー部材を備えたことを特徴とする請求項２に記載の画像表示プロジェクタ用ランプユニット。
【考案の詳細な説明】
【０００１】
【考案の属する技術分野】
本考案は、画像をスクリーン等に投射する画像表示プロジェクタに装着して使用する画像表示プロジェクタ用ランプユニットに関する。
【０００２】
【従来の技術】
従来から、パソコンやビデオカメラ等からの画像データを基に画像形成素子にて画像を生成し、その画像をスクリーン等に投影表示する画像表示プロジェクタが知られている。この種の画像表示プロジェクタは、光を投光するランプユニットと、画像形成素子にて形成した画像をランプユニットからの光により投射する画像投射ユニットとを備えている。
【０００３】
ランプユニットは、ランプボックス内にランプ本体が保持された構造になっており、ランプ本体が劣化や寿命により使用不能になったときにランプ本体を交換できるように、画像表示プロジェクタ本体に着脱可能になっている。ランプ本体は、電力供給を受けて光を出射するランプバルブと、このランプバルブに一体的に取付けられた光を反射し集光するリフレクタとから成っている。リフレクタは、耐熱性及び反射効率の点からガラスにより形成されており、ビス等により固定すると破損する虞があるため、バネ等の付勢部材によりランプボックス内の保持部に押し付けた状態でランプボックス内に保持されている。また、ランプ本体には、ランプ本体に電力を供給するためのケーブルが接続されている。このケーブルは、先端にコネクタを有しており、ランプユニットの画像表示プロジェクタ本体への装着時に、このコネクタを画像表示プロジェクタ本体に接続するようになっている。
【０００４】
ところで、このようなランプユニットにおいては、リフレクタは付勢部材によりランプボックス内に押し付けられた状態で保持されているため、ランプ交換時等にケーブルが引張られた場合、ランプ本体が位置ずれを起こす虞がある。ランプ本体が位置ずれを起こすと、ランプ本体からの光の利用効率が低下して、画像表示プロジェクタ本体で投影表示する画像が暗くなってしまう。なお、ランプリフレクタを金属で構成しビス等で固定した場合であっても、ケーブルが強く引張られると、ランプ本体が位置ズレを起こす虞がある。
【０００５】
そこで、ケーブル先端のコネクタの動きを規制する部材をランプボックスに設け、ケーブルが引っ張られることを防止したランプユニットが知られている。このランプユニットは、ランプボックスに設けたレールによりコネクタをスライド自在に保持し、コネクタをレールに沿ってスライドさせることで画像表示プロジェクタ本体に接続できる構造になっている。このランプユニットでは、コネクタがレールに沿った方向以外には動かないように規制することで、ケーブルが必要以上に引っ張られることを防止している。
【０００６】
また、テレビジョン受像機等の電源部に接続された電源コードを固定する電源コード保持装置に関し、凹溝内にボスとリブを設け、電源コードを円弧状にしてその交点部をひねり、電源コードの円弧状部をボスの外周に挿入し、電源コードのひねった交点部を凹溝とリブとの間の隙間に挿入するようにしたものが知られている（例えば、特許文献１参照）。また、電気機器の電線引出装置に関し、筐体の内面に設けた爪内に電線を嵌入し、爪に対向して立設したボスの上部から下部に向かって電線を巻装するものが知られている（例えば、特許文献２参照）。
【０００７】
【特許文献１】
特開昭６２−１４５８９８号公報
【特許文献２】
実開昭４９−１０５８５５号公報
【０００８】
【考案が解決しようとする課題】
ところが、上述した従来のランプユニットにおいては、ランプボックスにコネクタの動きを規制する部材を設けており、このようなコネクタの動きを規制する部材は構造が複雑であり、コストアップになっていた。なお、上述した特許文献１、及び特許文献２に開示のものにおいては、ケーブルの保持構造が複雑であり、ケーブルの固定作業も複雑である。これら特許文献１、及び特許文献２に開示の内容をランプユニットに適用した場合においては、ケーブルの保持構造が複雑であるために、ランプユニットのコストアップになる。
【０００９】
本考案は、上記課題を解決するためになされたものであり、ケーブルの固定構造を簡素にし、コストアップすることなくランプ本体の位置ずれを防止できる画像表示プロジェクタ用ランプユニットを提供することを目的とする。
【００１０】
【課題を解決するための手段】
上記目的を達成するために請求項１の考案は、ランプバルブとリフレクタとから成るランプ本体と、このランプ本体を保持するランプボックスと、先端にコネクタを有しランプ本体に電力を供給するためのケーブルとを備え、画像表示プロジェクタ本体に装着され、コネクタが画像表示プロジェクタ本体側のコネクタに接続され、画像表示プロジェクタ本体からの電力供給を受ける画像表示プロジェクタ用ランプユニットにおいて、ランプ本体は、両端がランプボックスに係止されるコイルバネ及びランプボックスに設けられた位置決め兼固定用の係合部でもって該ランプボックスに着脱自在に保持されており、ランプボックスに僅かな間隔をおいて立設された２本の支柱を有し、ケーブルが該２本の支柱の間に嵌入されると共に該２本の支柱の周囲に巻き付けられることにより該ケーブルをランプボックスに固定するためのケーブル固定部と、ケーブルをランプボックス外に引出すためのケーブル挿通孔を有し、ケーブル固定部の支柱上端に当接してケーブルの抜け止めをすると共にランプ本体の位置ずれを防止するランプボックスに対して着脱自在なカバー部材とを備えたものである。
【００１１】
この構成においては、ランプ本体に電力を供給するケーブルは、ケーブル固定部の２本の支柱の間に挟み込まれ、さらに２本の支柱の周囲に巻き付けることで固定される。これにより、ケーブル先端のコネクタが引っ張られても、その力がケーブルを通じてランプ本体に伝達されることがなく、ランプ本体は位置ずれを起すことがない。また、カバー部材がケーブル固定部の支柱上端に当接した状態に装着され、カバー部材のケーブル挿通孔からランプボックス外にケーブルが引出される。これにより、ケーブル先端のコネクタが引っ張られても、ケーブルが支柱から抜けることがなくケーブルの固定状態が維持される。
【００１２】
請求項２の考案は、ランプバルブとリフレクタとから成るランプ本体と、このランプ本体を保持するランプボックスと、先端にコネクタを有しランプ本体に電力を供給するためのケーブルとを備え、画像表示プロジェクタ本体に装着され、コネクタが画像表示プロジェクタ本体側のコネクタに接続され、画像表示プロジェクタ本体からの電力供給を受ける画像表示プロジェクタ用ランプユニットにおいて、ランプボックスに僅かな間隔をおいて形成された２本の支柱を有し、ケーブルが該２本の支柱の間に嵌入されると共に該２本の支柱の周囲に巻き付けられることにより該ケーブルをランプボックスに固定するためのケーブル固定部を備えたものである。
【００１３】
この構成においては、ランプ本体に電力を供給するケーブルは、ケーブル固定部の２本の支柱の間に挟み込まれ、さらに２本の支柱の周囲に巻き付けることで固定される。これにより、ケーブル先端のコネクタが引っ張られても、その力がケーブルを通じてランプ本体に伝達されることがなく、ランプ本体は位置ずれを起すことがない。
【００１４】
請求項３の考案は、請求項２に記載の画像表示プロジェクタ用ランプユニットにおいて、ランプボックスに対して着脱自在であり、支柱の先端に当接してケーブルの抜け止めをするカバー部材を備えたものである。
【００１５】
この構成においては、カバー部材がケーブル固定部の支柱上端に当接した状態に装着されることにより、ケーブル先端のコネクタが引っ張られても、ケーブルが支柱から抜けることがなくケーブルの固定状態が維持される。
【００１６】
【考案の実施の形態】
以下、本考案を具体化した実施形態について図面を参照して説明する。図１において、画像表示プロジェクタ１００は、パソコンやビデオカメラ等から入力される画像信号を基に、内蔵の画像形成素子を用いて画像を形成し、その画像をスクリーンや壁面等に投射表示する装置である。この画像表示プロジェクタ１００は、プロジェクタ本体１の前面に画像を投射するための投射レンズ２を備え、プロジェクタ本体１の内部に、画像投射用の光を投光するランプユニット３と、画像形成素子にて形成した画像をランプユニット３からの光を用いて投射レンズ２から投射させる画像投射ユニット（不図示）を内蔵している。
【００１７】
プロジェクタ本体１は、ランプユニット３を着脱できる構造になっており、ランプユニット３を装着するためのランプ装着空間４と、ランプ装着空間４を開閉するランプドア５と、ランプユニット３に電力を供給するためのコネクタ６を備えている。ランプユニット３は、プロジェクタ本体１から電力供給を受けるためのケーブル２０を有しており、ランプ装着空間４に挿入した後、ケーブル２０の先端のコネクタ２１をプロジェクタ本体１側のコネクタ６に接続し、ランプドア５を閉じることで装着される。
【００１８】
次に、上記ランプユニット３について説明する。図２及び図３において、ランプユニット３は、ランプ本体１０と、ランプ本体１０に電力を供給するためのケーブル２０と、ランプ本体１０を収納するランプボックス３０と、ランプ本体１０をランプボックス３０内に保持するコイルバネ４０とを備えている。
【００１９】
ランプ本体１０は、電力供給を受けて光を出射するランプバルブ１１と、ランプバルブ１１から出射された光を反射、集光するリフレクタ１２とから成っている。リフレクタ１２は、内面形状が投光側に広がった凹面状になっており、光投光側端面に外周フランジ１２ａを有している。このリフレクタ１２は、耐熱性及び反射効率の点からガラスにより形成されている。ランプバルブ１１は、その発光部がリフレクタ１２の略中心に位置するようにリフレクタ１２に一体的に取付けられている。また、ランプバルブ１１は、リフレクタ１２の背後の結線部１１ａにて、ケーブル２０と結線されている。ケーブル２０は、その先端にプロジェクタ本体１のコネクタ６に接続するためのコネクタ２１を有している。
【００２０】
ランプボックス３０は、相互に結合される前面ケース５０、背面ケース６０、及び上面ケース７０から成っている。前面ケース５０は、ランプ本体１０の前面をカバーするものであり、ランプ本体１０からの光を投光する投光窓５１を有する前面壁５２と、この前面壁５２の周囲に形成された側壁５３とを備えている。窓５１は、リフレクタ１２の外周フランジ１２ａの直径よりもやや小さい円形に形成されている。前面壁５２は、投光窓５１を跨いだ２箇所にコイルバネ４０の両端を係止するための係止孔５５を有している。側壁５３は、リフレクタ１２の外周フランジ１２ａの厚みの分だけ前面壁５２よりもランプ本体１２側へ延設されている。
【００２１】
ランプ本体１０は、図４に示すように、外周フランジ１２ａの前面が前面壁５２に当接されると共に外周フランジ１２ａの側面が側壁５３（図示Ａ、Ｂの２箇所）に当接され、コイルバネ４０は、リフレクタ１２の背面に橋渡した状態で係止孔５５に係止される。これにより、ランプ本体１０は、コイルバネ４０の弾性力により、外周フランジ１２ａの前面が前面壁５２に押し付けられると共に外周フランジ１２ａの外側面が側壁５３に押さえ付けられた状態で前面ケース５０に保持され取付けられる。ランプ本体１０は、コイルバネ４０を係止孔５５から取外すことで前面ケース５０に着脱できるようになっている。前面ケース５０の前面壁５２及び側壁５３は、ランプ本体１０の位置決め兼固定用の係合部の役割を担っている。ランプバルブ１１から出射された光は、リフレクタ１２で反射され、投光窓５１を通って、ランプボックス３０から投光される。
【００２２】
背面ケース６０は、ランプ本体１０の背面及び底面をカバーするものであり、底板６１と、底板６１に連設された側面板６２及び背面板６３と、底板６１に立設されたケーブル固定部６５とを備えている。ケーブル固定部６５は、ケーブル２０を固定するものであり、ランプ本体１０のリフレクタ１１の後方で結線部１１ａの側方の空間に設けられている。このケーブル固定部６５は、ケーブル２０の太さよりも少し狭い僅かな間隔をおいて底板６１に略垂直に立設された２本の支柱６５ａ、６５ｂから成っている。支柱６５ａの上端は、背面板６３の上縁と略同じ高さになっており、支柱６５ｂの上端は、背面板６３の上縁よりも高くなっている。
【００２３】
背面ケース６０は、図５に示すように、ランプ本体１０を前面ケース５０に取付けた状態で前面ケース５０に結合される。ケーブル２０は、この状態においてケーブル固定部６５の支柱６５ａと支柱６５ｂの間に嵌入され挟み込まれ、さらに支柱６５ａと支柱６５ｂに巻き付けられて固定される。ケーブル２０のケーブル固定部６５への挟み込み及び巻き付けは、それぞれ１回又は２回以上行われる。ケーブル２０は、ケーブル２０の太さよりも狭い支柱６５ａ、６５ｂの間に挟み込まれ、さらに支柱６５ａ、６５ｂに巻き付けられることにより、ケーブル２０先端のコネクタ２１が引っ張られても動き出すことがない。これにより、ケーブル２０先端のコネクタ２１が引っ張られても、その力がランプ本体１０に伝わることがなく、ランプ本体１０は位置ずれを起こすことがない。
【００２４】
上面ケース７０は、ランプ本体１０の上面及び背面をカバーするものであり、天板７１と、天板７１の下面に凸設されたリブ７２と、天板７１に連設された背面板７３と、背面板７３に連設された覆い板（カバー部材）７４とを備えている。リブ７２は、ランプ本体１０が前面ケース５０から脱落するのを防止するものである。覆い板７４は、ケーブル２０のケーブル固定部６５からの抜けを防止すると共にランプ本体１０の位置ずれを防止するものであり、ケーブル固定部６５の支柱６５ｂの上端が結合される結合孔７５と、ケーブル２０をランプボックス３０外に引出すためのケーブル挿通孔７６とを有している。
【００２５】
上面ケース７０は、ランプ本体１０を前面ケース５０に取付け、さらに背面ケース６０を前面ケース５０に結合した状態で、前面ケース５０及び背面ケース６０に結合される。リブ７２は、図６に示すように、上面ケース７０を前面ケース５０及び背面ケース６０に結合した状態において、リフレクタ１２の外周フランジ１２ａを前面ケース５０の前面壁５２との間で挟持する。ランプ本体１０は、リフレクタ１２の外周フランジ１２ａが挟持されることにより、前面ケース５０から不測に脱落するのが防止される。
【００２６】
覆い板７４は、図２に示すように、上面ケース７０を前面ケース５０及び背面ケース６０に結合した状態において、背面ケース６０の背面板６３の上縁に当接し、ランプ本体１０の結線部１１ａの周辺、及びケーブル固定部６５の上方の空間を覆って閉鎖する。このとき、覆い板７４の結合孔７４は、ケーブル固定部６５の支柱６５ｂの上端と結合し、覆い板７４の内面は、支柱６５ａの上端に当接する。覆い板７４のケーブル挿通孔７６からは、ケーブル２０が引出される。ケーブル固定部６５に固定されたケーブル２０は、覆い板７４が支柱６５ｂの上端と結合すると共に支柱６５ａの上端に当接してこれら支柱６５ａ、６５ｂの上方を覆っているため、支柱６５ａ、６５ｂから抜けることがない。また、ランプ本体１０は、覆い板７４が結線部１１ａ周辺の空間を覆っているため、結線部１１ａに人の手指等が接触して位置ずれを起こすことがない。
【００２７】
上記構成のランプユニット３によれば、ケーブル２０は、ケーブル固定部６５の２本の支柱６５ａ、６５ｂの間に挟み込まれ、さらに２本の支柱６５ａ、６５ｂの周囲に巻き付けることで、ケーブル２０先端のコネクタ２１が引っ張られても動かないように固定される。これにより、ランプユニット３をプロジェクタ本体１に装着するとき等、ケーブル２０先端のコネクタ２１が引っ張られても、その力がケーブル２０を通じてランプ本体１０に伝達されることがなく、ランプ本体１０は位置ずれを起すことがない。また、上面ケース７０の覆い板７４がケーブル固定部６５の支柱６５ａ、６５ｂの上端に当接した状態に装着されるため、ケーブル２０先端のコネクタ２１が引っ張られても、ケーブル２０が支柱６５ａ、６５ｂから抜けることがなく、ケーブル２０が一層強固に固定される。
【００２８】
なお、本考案は、上記実施形態の構成に限られず、種々の変形が可能である。例えば、上記実施形態において、ケーブル固定部６５は、背面ケース６０の底板６１に限らず、背面ケース６０の背面板６３、上面ケース７０の天板７１、背面板７３等に形成してもよく、ケーブル固定部６５の支柱６５ａ、６５ｂは、垂直に限らず、水平や斜めに設けてもよい。また、ケーブル固定部６５は、２本の支柱６５ａ、６５ｂに限らず、３本以上の支柱により構成してもよい。
【００２９】
また、上記実施形態において、ケーブル固定部６５は、支柱６５ａ、６５ｂの上端の高さを同じにしてもよい。この場合、両方の支柱６５ａ、６５ｂの上端は、覆い板７４に結合させてもよいし、覆い板７４に結合させることなく覆い板７４の内面に当接させてもよい。また、支柱６５ａ、６５ｂの上端は、必ずしも覆い板７４に結合又は当接させる必要はなく、支柱６５ａ、６５ｂの上端と覆い板７４との間に、ケーブル２０がケーブル固定部６５から抜けない程度の若干の隙間があってもよい。これらによっても、上記の実施形態と同様に、ケーブル２０のケーブル固定部６５からの抜けを防止できる。また、ケーブル挿通孔７６は、上面ケース７０の覆い板７４に限らず、上面ケース７０の天板７１や背面板７３、又は背面ケース６０の底板６１や背面板６３に形成してもよい。
【００３０】
【考案の効果】
以上説明したように請求項１の考案によれば、ケーブルを２本の支柱の間に嵌入する共に支柱の周囲に巻き付けて固定するため、簡素な構造でケーブルを固定してランプ本体の位置ずれを防止できる。また、カバー部材を支柱上端に当接して装着することでケーブルの支柱からの抜けを防止するため、簡素な構造で一層確実にランプ本体の位置ずれを防止できる。しかも、従来のようにコネクタの動きを規制する部材を使用せず、ケーブルの固定構造が簡素であるため、コストアップにならない。
【００３１】
請求項２の考案によれば、ケーブルを２本の支柱の間に嵌入する共に支柱の周囲に巻き付けて固定するため、簡素な構造でケーブルを固定してランプ本体の位置ずれを防止できる。しかも、従来のようにコネクタの動きを規制する部材を使用せず、ケーブルの固定構造が簡素であるため、コストアップにならない。
【００３２】
請求項３の考案によれば、カバー部材を支柱上端に当接して装着することでケーブルの支柱からの抜けを防止するため、簡素な構造で一層確実にランプ本体の位置ずれを防止できる。
【図面の簡単な説明】
【図１】本考案の一実施形態に係るランプユニットを適用した画像表示プロジェクタの概略構成を示す斜視図。
【図２】同ランプユニットの構成を示す斜視図。
【図３】同ランプユニットの構成を示す分解斜視図。
【図４】同ランプユニットの前面ケースへのランプ本体の取付け状態を示す背面側から見た図。
【図５】同ランプユニットのケーブル固定部へのケーブルの固定状態を示す斜視図。
【図６】同ランプユニットの前面ケースと上面ケースとによるランプ本体の保持状態を示す要部断面図。
【符号の説明】
１　プロジェクタ本体
３　ランプユニット
１０　ランプ本体
１１　ランプバルブ
１２　リフレクタ
２０　ケーブル
２１　コネクタ
３０　ランプボックス
４０　コイルバネ
５０　前面ケース
６０　背面ケース
６５　ケーブル固定部
６５ａ、６５ｂ　支柱
７０　上面ケース
７４　覆い板（カバー部材）
７６　ケーブル挿通孔
１００　画像表示プロジェクタ
【図１】
0003097940.tif 000003
【図２】
0003097940.tif 000004
【図３】
0003097940.tif 000005
【図４】
0003097940.tif 000006
【図５】
0003097940.tif 000007
【図６】
0003097940.tif 000008